(57)【要約】【課題】複数枚の発光シート体２を本のようにした表示装置１において、開いた発光シート体のみに自動給電して電力消費上の無駄を解消する。【解決手段】表示装置１は、電源１５からの給電で発光する表示部４が両面に設けられた発光シート体２を有する。重ねられた発光シート体は基辺部を中心に揺動できるように保持されている。隣接する２枚の発光シート体ごとにスイッチ１４が設けられ、発光シート体の動きに連動するカム２０を発光シート体ごとに設け、見開きとされた発光シート体の２つの表示部４，４に給電されるようにカムがスイッチを操作する。【選択図】図４
2013250424.tif 000002
【特許請求の範囲】
【請求項１】
給電により発光する表示部を両面に備えた発光シート体を含む複数の発光シート体が重ねられて開閉可能に基辺部で保持され、前記発光シート体を見開きとした際に前記発光シート体の並んで見える２つの前記表示部のみに給電が行なわれるように前記発光シート体の動作に伴ってスイッチング手段が制御されるように構成されたことを特徴とする表示装置。
【請求項２】
電源と、
前記電源からの給電で発光する表示部が両面に設けられた発光シート体を含む複数の発光シート体と、
重ねて配置された前記発光シート体が前記発光シート体の各基辺部を中心に揺動できるように前記各基辺部を保持する基体と、
隣接する２枚の前記発光シート体ごとに設けられ、前記発光シート体の前記表示部と前記前記電源との導通を制御する複数のスイッチと、
前記発光シート体の動きに連動するように前記発光シート体ごとに設けられ、見開きとされた前記発光シート体の並んで見える２つの前記表示部に前記電源から給電されるように前記スイッチを操作する操作機構と、
を有することを特徴とする表示装置。
【請求項３】
複数の前記スイッチの各々は、２方向から同時に操作することにより閉となるアクチュエータを備えるとともに、隣接する２枚の前記発光シート体において隣接する２つの前記表示部と前記電源とを共通に接続しており、
前記操作機構は、前記発光シート体の動きに連動するように前記発光シート体ごとに設けられ、隣接した前記発光シート体が見開きとされた際に、並んで見える２つの前記表示部に接続された前記スイッチの前記アクチュエータを２方向から同時に操作するカムであることを特徴とする請求項２記載の表示装置。
【請求項４】
前記発光シート体の前記基辺部を保持する保持部材を有しており、
前記基体には、前記保持部材の両端部を回動可能かつ移動可能に支持する支持部が設けられており、
前記基体には、前記支持部に支持された前記保持部材を保持する弾性体が設けられていることを特徴とする請求項３記載の表示装置。
【発明の詳細な説明】
【技術分野】
【０００１】
本発明は、複数枚の発光シート体が本のような状態で開閉できるようにまとめられており、見開きにした場合に並んで見える２枚の発光シート体の両表示部のみが通電され、当該２枚の表示部のみが発光するように構成された表示装置に関するものである。
【背景技術】
【０００２】
無機ＥＬ装置のように、発光面が平面状であるシート状発光素子は多様な用途で用いられている。このようなシート状発光素子を表示装置として使用する場合には、情報量を重視して複数枚のシート状発光素子を並べて用いることもできるが、配置面積が大きくなり、取り扱いは不便になる。また、配置面積を小さく抑えるために１枚単位で使用する場合には、シート状発光素子を交換する際に配線や接続の組み換えに手間がかかり、また組み換え時に、シート状発光素子や配線、さらに配線の接続箇所等を破損する危険性があった。
【０００３】
このようなシート状発光素子を表示装置として使用する場合において、前述したような配置面積の拡大という問題を起こすことなく、装置としてコンパクトな状態で十分な表示情報量を得るため、下記特許文献１には、シート状発光素子を本のように綴じた構造の表示システムの発明が開示されている。この発明によれば、薄い液晶表示装置が複数枚重ねられており、その１辺が本のように綴じられている。同文献の図４に示す表示システムでは、各液晶表示装置が本のように綴じられており、各液晶表示装置は充電式の電池を内蔵しており、着脱可能となっている。また、同文献の図５示す表示システムでは、表示システム側の接続部と、各液晶表示装置の電極端子とが、コネクタによって接続及び取外し可能に結合されており、このコネクタを介して情報、制御信号、電源等が入出力される。
【先行技術文献】
【特許文献】
【０００４】
【特許文献１】特開平４−３５５７８６号公報
【発明の概要】
【発明が解決しようとする課題】
【０００５】
特許文献１に記載の表示システムでは、シート状の液晶表示装置が本のように綴じられているために表示素子の配置面積を小さく抑える目的は達していると言えるが、すべての表示素子に電源や制御信号を供給し、又はすべての表示素子に電池を設ける必要があり、必要な頁以外にも常時電源を供給するか、又は電源を備えつけておく必要があり、構成上又は給電上の無駄が大きかった。
【０００６】
本発明は、以上説明したような課題を解決することを目的としており、小さな配置面積かつコンパクトな構成で複数枚のシート状発光素子を設けることができるとともに、見たいシート状発光素子のみに自動的に給電できるために電力消費上の無駄がない効率的な表示装置を提供することを目的としている。
【課題を解決するための手段】
【０００７】
請求項１に記載された表示装置は、
給電により発光する表示部を両面に備えた発光シート体を含む複数の発光シート体が重ねられて開閉可能に基辺部で保持され、前記発光シート体を見開きとした際に前記発光シート体の並んで見える２つの前記表示部のみに給電が行なわれるように前記発光シート体の動作に伴ってスイッチング手段が制御されるように構成されたことを特徴としている。
【０００８】
請求項２に記載された表示装置は、
電源と、
前記電源からの給電で発光する表示部が両面に設けられた発光シート体を含む複数の発光シート体と、
重ねて配置された前記発光シート体が前記発光シート体の各基辺部を中心に揺動できるように前記各基辺部を保持する基体と、
隣接する２枚の前記発光シート体ごとに設けられ、前記発光シート体の前記表示部と前記前記電源との導通を制御する複数のスイッチと、
前記発光シート体の動きに連動するように前記発光シート体ごとに設けられ、見開きとされた前記発光シート体の並んで見える２つの前記表示部に前記電源から給電されるように前記スイッチを操作する操作機構と、
を有することを特徴としている。
【０００９】
請求項３に記載された表示装置は、請求項２記載の表示装置において、
複数の前記スイッチの各々は、２方向から同時に操作することにより閉となるアクチュエータを備えるとともに、隣接する２枚の前記発光シート体において隣接する２つの前記表示部と前記電源とを共通に接続しており、
前記操作機構は、前記発光シート体の動きに連動するように前記発光シート体ごとに設けられ、隣接した前記発光シート体が見開きとされた際に、並んで見える２つの前記表示部に接続された前記スイッチの前記アクチュエータを２方向から同時に操作するカムであることを特徴としている。
【００１０】
請求項４に記載された表示装置は、請求項３記載の表示装置において、
前記発光シート体の前記基辺部を保持する保持部材を有しており、
前記基体には、前記保持部材の両端部を回動可能かつ移動可能に支持する支持部が設けられており、
前記基体には、前記支持部に支持された前記保持部材を保持する弾性体が設けられていることを特徴としている。
【発明の効果】
【００１１】
請求項１に記載された表示装置によれば、重ねられた複数の発光シート体を任意の頁で開いて見開き状にすると、並んで見える２枚の発光シート体の各表示部のみが給電を受けて発光し、その他の見えない状態にある発光シート体の表示部は給電されないので発光しない。小さな配置面積かつコンパクトな構成で複数枚の発光シート体を設けることができ、見るために開いた頁のみが光るので電力消費上の無駄がなく効率的である。
【００１２】
請求項２に記載された表示装置によれば、重ねられた複数の発光シート体を任意の頁で開いて見開き状にすると、見開きになった２枚の発光シート体にそれぞれ設けられた操作機構が発光シート体の動きに連動し、これら２枚の発光シート体に対応して設けられたスイッチを操作する。これによって、見開きに並ぶ２枚の発光シート体の各表示部のみが電源から給電を受けて発光し、その他の見えない状態にある発光シート体の表示部は給電されないので発光しない。小さな配置面積かつコンパクトな構成で複数枚の発光シート体を設けることができ、見るために開いた頁のみが光るので電力消費上の無駄がなく効率的である。
【００１３】
請求項３に記載された表示装置によれば、重ねられた複数の発光シート体を任意の頁で開いて見開き状にすると、見開きになった２枚の発光シート体にそれぞれ設けられたカムが発光シート体の動きに連動し、これら２枚の発光シート体に共通に設けられたスイッチのアクチュエータを２方向から操作する。これによってスイッチの接点が閉じられ、見開きに並ぶ２枚の発光シート体の各表示部のみが電源に接続される。
【００１４】
請求項４に記載された表示装置によれば、
基体の支持部には、保持部材が回動可能かつ移動可能に支持され、弾性体で保持されている。発光シート体は当該保持部材に保持されているので、重ねられた複数の発光シート体を任意の頁で開いて見開き状にする際には、見開きにする２枚の発光シート体よりも外側にある発光シート体を押し、弾性体を弾性変形させながら支持部に沿って沈み込ませれば、見開きにする２枚の発光シート体の開き角度を十分に大きく設定することができ、給電されて発光状態にある見開きの２つの表示部を視認しやすい状態にすることができる。
【図面の簡単な説明】
【００１５】
【図１】本発明の実施形態である表示装置の全体外観図と、その要部である複数の発光シート体の支持構造を拡大して示す図である。
【図２】実施形態における保持部材及び発光シート体の外観斜視図である。
【図３】実施形態における保持部材の支持構造を示す部分断面図であり、（ａ）は図２の矢視（ａ）方向から見た図であり、（ｂ）は図２の矢視（ｂ）方向から見た図である。
【図４】実施形態における発光シート体とスイッチと電源の電気的接続関係及び発光シート体に連動する操作機能のカムとスイッチの機構的関係を示す構造概念図である。
【図５】実施形態におけるカムがスイッチのアクチュエータを操作する作用を説明するための連続作動図である。
【図６】実施形態における発光シート体を見開きにする際の弾性体による作用乃至効果を説明するための図である。
【発明を実施するための形態】
【００１６】
図１〜図６を参照して実施形態の表示装置を説明する。
図１において、左側の図形は実施形態の表示装置１の外観を示しており、右側の図形は矢印で引き出して示すように表示装置１が備えている複数の発光シート体２の支持構造の拡大図である。図１に示すように、本実施形態の表示装置１は、複数枚の同一矩形の発光シート体２を重ね、これら発光シート体２の各基辺部を細長い箱型の基体３の内部で保持し、全体として所望の頁で開閉できる本のような形態に構成した装置である。この表示装置１は、以下に詳述するように、見開き状態に開いた場合には、並んで見える２枚の発光シート体２，２の２枚の表示部４のみに電気が供給されて発光表示を行なえるような構造になっている。
【００１７】
図１〜図３に示すように、各発光シート体２は、略円筒形の保持部材５によって、それぞれ各基辺部を保持されている。保持部材５は、中央の大径の保持部５ａと、その両端の小径の支持筒部５ｂとを有している。保持部５ａの周面には母線に沿ってスリット６が開口されており、その内部には、２つの点灯電極７，７と、一つの共通電極８の合計３個の電極がある。一方、詳細は後述するが発光シート体２の両面には表示部であるシート状の無機ＥＬがそれぞれ設けられており、これら２つの無機ＥＬにそれぞれ対応した２つの点灯電極７ａ，７ａと一つの共通電極８ａの合計３個の電極が基辺部の両面に設けられている。そして、発光シート体２の基辺部を保持部材５の保持部のスリット６から内部に差し込むと、発光シート体２の二つの点灯電極７ａ，７ａと一つの共通電極８ａは、保持部材５の保持部の内部にある二つの点灯電極７，７と一つの共通電極８に接続されるようになっている。また、発光シート体２は保持部材５に対して自由に着脱することができる。
なお、保持部材５の一方の支持筒部５ｂの開放端面からは、２つの点灯電極７，７と一つの共通電極８に接続された３本の導線９が導出されているが、これらの導線９は、後述するスイッチング手段や交流電源に接続されている。
【００１８】
図１〜図３に示すように、各発光シート体２を保持している保持部材５の保持筒部５ｂは、基体３の内部に設けられている支持部としての支持溝１０によって、回動可能かつ溝方向に移動可能に支持されている。さらに、基体３の内部において、各保持部材５の両端の各支持筒部５ｂは、発光シート体２が存在する側とは逆の側において弾性体１１によって保持されている。弾性体１１は、スポンジ、ゴム、ばね材等の弾性材料乃至弾性部材から構成されており、保持部材５を支持溝１０内の所定位置に保持するために設けられている。従って、発光シート体２は、所望の頁において本のように開くことができるとともに、見開き状態で発光シート体２の側から基辺部の側である奥方向に向けて押すと、弾性体が弾性的に縮退して保持部材５と一緒に基体３の側に沈み込むことができる。
なお、実施形態の支持溝１０は支持部の一例にすぎず、要するに発光シート体２の保持部材５を回動可能かつ直線方向に移動可能に支持できるものであればどのような支持構造であってもよい。
【００１９】
図４を参照して、発光シート体２の構造の詳細と、その表示部４を選択的に交流電源に接続してＯＮ／ＯＦＦするスイッチング手段等について説明する。
図４に示す発光シート体２は、シート状の発光体の一例として無機ＥＬを利用している。無機ＥＬからなる表示部４は、可撓性を有するシート状の基材１２の両面に貼付されており、全体として透明な保護カバー１３に被覆されている。本実施形態では、すべての発光シート体２が両面に表示部４を有しているのではなく、表紙に相当する一番上の発光シート体２と、裏表紙に相当する一番下の発光シート体２は、基材１２の内面側だけに表示部４がある片面表示用であり、その間にある発光シート体２は、基材１２の両面に表示部４がある両面表示用である。
【００２０】
図４に示すように、各発光シート体２の表示部４の点灯電極７ａと、一つの共通電極８ａに接続されている２本乃至３本の導線９は、スイッチング手段の一部であるスイッチ１４と、交流電源１５とにそれぞれ接続されている。具体的には、各スイッチ１４は隣接する２枚の発光シート体２，２ごとに設けられており、これら２枚の発光シート体２，２において対面乃至隣接する２つの表示部４，４が、交流電源１５の非接地端子に対して、当該スイッチ１４によって共通に接続されている。また、発光シート体２の共通電極８ａは、図中符号Ｇ（接地）にて示すように、それぞれ交流電源１５の接地端子に接続されている。各スイッチ１４は、２方向から対向する向きに同時に操作することにより、回路が閉となるアクチュエータ１６を備えている。
【００２１】
図２乃至３に示すように、保持部材５の両端にある支持筒部５ｂの一方には、前記スイッチ１４の操作機構としてのカム２０が設けられており、前記発光シート体２を捲る際の動きに連動して回動するようになっている。
【００２２】
図４に示すように、このカム２０は、隣接する２枚の発光シート体２，２の間にあるスイッチ１４のアクチュエータ１６を、頁を開いた時にのみ対向する両側から操作するように配置されている。すなわち、図４に示すように、発光シート体２の各頁が開かれていない場合には、カム２０の作用突起Ｐはスイッチ１４のアクチュエータ１６から最も離れた非作用位置に配置されているが、図５（ａ）〜（ｃ）に連続して示すように、発光シート体２を見開きとした場合には、並んで配置された２つの表示部４，４に共通に接続されたスイッチ１４のアクチュエータ１６を両側から対向方向に同時に操作して当該スイッチ１４をＯＮとし、これら２つの表示部４，４に交流電源１５から電気が給電されるように構成されている。
【００２３】
なお、図４に示すスイッチ１４は、基体３の中で、保持部材５と一体に設けられたカム２０の近傍に配置されているが、交流電源１５は基体３の外にある外部電源を利用するものとしてもよい。
【００２４】
図５は、上述したように、隣接する２枚の発光シート体２，２の間にあるスイッチ１４が、これら２枚の発光シート体２，２に連動する２個のカム２０，２０によってＯＮとなる際の上述した動作を連続図で詳細に示したものである。
この図には、発光シート体２は示していないが、表示装置１の使用者が隣接する２枚の発光シート体２，２を見開き状態にしようとすると、まず図５（ａ）に示すように、これらの発光シート体２，２に連動する２個のカム２０，２０は非作用位置から作用突起Ｐがアクチュエータ１６に接近する方向に回転を始める。
【００２５】
次に図５（ｂ）に示すように、２個のカム２０の各作用突起Ｐがスイッチ１４のアクチュエータ１６を互いに反対の向きから押し始める。
【００２６】
最後に、図示しない２枚の発光シート体２，２が見開き状態になった時には、図５（ｃ）に示すようにアクチュエータ１６は接点を閉じてスイッチ１４はＯＮとなる。これによって、見開きにした２枚の発光シート体２，２の表示部４，４には交流電源１５から電流が供給され、見開きになったこれら２枚の表示部４，４のみが自動的に発光する。
【００２７】
閉じられているその他の発光シート体２に対応するカム２０はいずれも作用突起Ｐを同方向である非作用位置に向けており、従って、これらカム２０に対応するスイッチ１４はいずれもアクチュエータ１６を押されておらず接点が開いているため、表示部４に交流電源１５から電気が供給されることはない。従って開かれていない発光シート体２の表示部４が発光することはない。
【００２８】
図６は、このように必要な頁を見開きにして発光表示する際に、発光シート体２が弾性体の作用によって基辺部の側に沈み込む様子を示したものであり、分図（ｂ）、（ｃ）においては発光シート体２の沈み込みの状態を明示するために各保持部材５の中心を通る破線を示している。なお、図６においては、図示の便宜上、各頁を構成する発光シート体２の一部の図示を省略し、長さを短く示している。また、図６では、発光シート体２の枚数を８枚としたが、特にこの数値に限定するものではない。
【００２９】
図６（ａ）は、発光シート体２が開かれていない状態を示す。複数枚の発光シート体２は互いに重なった状態にあり、いずれの発光シート体２にも開きながら押さえつける力は加わっていないため、すべての発光シート体２の弾性体１１は変形していない。すべてのスイッチ１４がＯＦＦであり、いずれの発光シート体２の表示部４も発光していない。
【００３０】
図６（ｂ）は、中央で２枚の発光シート体２，２を開いた状態であって、これら見開きにした２枚の発光シート体２，２が最も沈み込み、その外側に行くほど沈み込みが少なくなっているような頁の開き方を示している。このような形態は、開こうとする中央の２枚の発光シート体２をより強く押さえつけながら開くことによって得ることができる。このような開き状態によれば、見開きにしようとする中央の２枚の発光シート体２が最も沈み込んでいるが、その両側の発光シート体２もこれに次いで深く沈み込んでいるため、中央の２枚の発光シート体２，２の見開き動作を阻害しないので視認性に問題はなく、また中央の２枚の発光シート体２に連動する２個のカム２０の回転角度は、スイッチ１４のアクチュエータ１６を操作してスイッチ１４をＯＮとするのに十分な程度となるため、見開き状態にある表示部４，４の自動的な発光表示は確実に行なわれる。
【００３１】
図６（ｃ）は、中央で２枚の発光シート体２，２を開いた状態であって、これら見開きにした２枚の発光シート体２，２よりも、その両外側の各発光シート体２，２の方の沈み込みが大きく、その外側に行くほど沈み込みが少なくなっているような頁の開き方を示している。このような形態は、開こうとする中央の２枚の発光シート体２，２の両外側にある各発光シート体２，２をより強く押さえながら、中央の２枚の発光シート体２，２を開くことによって得ることができる。このような開き状態によれば、見開きにしようとする中央の２枚の発光シート体２，２よりも、その外側にある発光シート体２，２の方が深く沈み込んでいるため、見開きにした中央の２枚の発光シート体２，２の基辺部に近い部分がよりよく見える。また、図６（ｃ）の場合、見開きにした２枚の発光シート体２，２の沈み込みは、図６（ｂ）の場合に比べて少ないが、これは図６（ｃ）の場合にカム２０の回転角度が不十分でありスイッチ１４の作動が不確実であることを意味するものではなく、見開き状態にある表示部４，４の自動的な発光表示は確実に行なわれる。
【００３２】
このように、図６（ｂ）、（ｃ）のいずれの開放態様で見開きにしても、見開きの表示部４，４のみに自動給電されて発光する作用は確実に得られるし、見開きの表示部４，４はいずれの場合でも実際上十分な視認性が得られる。すなわち、ユーザーの使用上の嗜好に対応して発光シート体２の見開き状態を自由に選択・設定できるメリットがある。
【００３３】
以上説明した実施形態では、表紙と裏表紙の発光シート体２は表面のみが表示部４であり、内部の複数枚の発光シート体２は両面が表示部４であった。しかしながら、表紙と裏表紙の発光シート体２についても、両面を表示部４としてもよく、その場合には、発光シート体２を閉じた状態において、表紙又は裏表紙の表示部４の表示をＯＮ／ＯＦＦできるスイッチ１４を別途設けることとしてもよい。また、発光シート体２の表示部４には、実施形態のような無機ＥＬだけでなく、有機ＥＬ素子や液晶表示素子等の薄型表示素子も利用することができる。
【００３４】
以上説明したように、本実施形態の表示装置１によれば、重ねて配置した複数枚の発光シート体２を任意の頁で開いて見開き状にすると、並んで見える２枚の表示部４，４のみが給電を受けて発光するが、その他の見えない状態にある発光シート体２の表示部４は給電されずに発光しない。小さな配置面積かつコンパクトな構成で複数枚の発光シート体２を一装置内に設けることができ、見るために開いた頁のみが光るので電力消費上の無駄がなく効率的であるという効果が得られる。
【符号の説明】
【００３５】
１…表示装置
２…発光シート体
３…基体
４…表示部
５…保持部材
１０…保持部材を支持する支持部としての支持溝
１１…弾性体
１４…スイッチング手段としてのスイッチ
１５…電源としての交流電源
１６…スイッチの一部を構成するアクチュエータ
２０…操作機構としてのカム
【図１】
2013250424.tif 000003
【図２】
2013250424.tif 000004
【図３】
2013250424.tif 000005
【図４】
2013250424.tif 000006
【図５】
2013250424.tif 000007
【図６】
2013250424.tif 000008